(57)【要約】【課題】  手縫い針そのものを改善し、針穴への糸通し作業を簡便に行なえる様に改善された手縫い針を提供すること。【解決手段】  針穴の片側に糸通し用のガイド孔が形成された手縫い針を開示する。このガイド孔は開口端縁を円弧状に形成し、あるいは更に、該ガイド孔の少なくとも開口側を針先とは反対方向に傾斜して形成したものが好ましい。【選択図】  図１
2006102231.tif 000002
【特許請求の範囲】
【請求項１】
手縫い針における針穴の側方に、糸通し用のガイド孔が形成されていることを特徴とする手縫い針。
【請求項２】
前記ガイド孔の開口端縁が円弧状に加工されている請求項１に記載の手縫い針。
【請求項３】
前記ガイド孔は、少なくとも開口側が針先とは反対側に傾斜している請求項１または２に記載の手縫い針。
【請求項４】
前記針穴における前記ガイド孔の開口位置よりも後方側が、糸掛止湾部を構成している請求項１〜３のいずれかに記載の手縫い針。
【請求項５】
前記ガイド孔は、針穴の外面側開口幅よりも内面側開口幅の方が狭幅に形成されている請求項１〜４のいずれかに記載の手縫い針。
【請求項６】
前記ガイド孔における外面側開口部の後方に、糸をガイド孔方向へ誘導する案内部が形成されている請求項１〜５のいずれかに記載の手縫い針。
【発明の詳細な説明】
【技術分野】
【０００１】
本発明は手縫い針に関し、特に、一般人はもとより、特に高齢者や弱視者などが裁縫を行なう際にも、針穴への糸の挿通を簡便に行なうことができる様に改善された手縫い針に関するものである。
【背景技術】
【０００２】
手縫い針は、縫製作業の機械化が高度に進化した現在においても、家庭における各種衣類のいわゆる繕い作業のほか、機械化ではなし得ない細部の仕上げ縫製などに欠くことのできないものであり、現在もなお広く利用されている。また、戦前・戦後の貧困時代を経験してきた高齢者にとって使い捨てに対する抵抗は根強いものがあり、衣類の補修やリサイクルによる再利用も日常的に行なわれている。
【０００３】
しかし、家庭内においていわゆる繕い作業を行なっている者の大半は高齢者であり、その際に経験する大きな難点は、手縫い針の小さな針孔への糸通し作業である。そこで、該糸通し作業を簡便に行なえる様に工夫した治具も幾つか提案されている。ところが、それらの治具は常に身近にあるとは限らず、またそれらの治具は小さなものであることもあって紛失し易く、結局のところ、何らの治具も使用せずに糸通し作業に難渋していることが多い。こうしたことは、高齢者や弱視者に限らず、中年者、更には手縫い作業を職業として行なっている者に対しても共通する問題である。
【０００４】
上記の様に、糸通し作業を簡便に行なえる様に改善された治具については幾つか提供されているが、手縫い針そのものを改善し、糸通し作業を簡便に行なえる様にしたものは、本発明者が知る限り存在しない。
【発明の開示】
【発明が解決しようとする課題】
【０００５】
本発明は上記の様な事情に着目してなされたものであって、その目的は、手縫い針そのものを改善し、糸通し作業を簡便に行なえる様にした手縫い針を提供することにある。
【課題を解決するための手段】
【０００６】
上記課題を解決することのできた本発明の手縫い針とは、手縫い針における針穴の片側に、糸通し用のガイド孔が形成されているところに特徴を有している。
【０００７】
本発明における上記ガイド孔の開口端縁が円弧状に形成され、あるいは更に、該ガイド孔の少なくとも開口側が針先とは反対方向に傾斜して形成されたものは、縫製される生地糸が該ガイド孔への引っ掛かるのを抑えることができるので好ましい。
【０００８】
本発明の手縫い針においては、上記ガイド孔の開口位置よりも後方側が糸掛止湾部を構成しているものが好ましい。また該ガイド孔は、針穴の外面側開口幅よりも内面側開口幅を狭幅に形成しておけば、一旦、針穴に挿通した糸が該針穴から簡単に脱け出すこともなくなるので好ましい。また、該ガイド孔における外面側開口部の後方に、糸をガイド孔方向へ誘導するための案内部を形成しておけば、該ガイド孔方向への糸の誘導と挿通を一層容易にできるので好ましい。
【発明の効果】
【０００９】
本発明によれば、通常の人はもとより高齢者や弱視者であっても、手縫い針における非常に細かな針孔への糸の挿通を、格別の糸通し用治具などを使用することなく簡単に行なうことができる。また盲目の人であっても、指先の感触だけで簡単に糸の挿通を行なうことができる。
【発明を実施するための最良の形態】
【００１０】
以下、実施例を挙げて本発明の構成及び作用効果をより具体的に説明するが、本発明はもとより下記図示例によって制限を受けるものではなく、前・後記の趣旨に適合し得る範囲で適当に変更を加えて実施することも可能であり、それらは何れも本発明の技術的範囲に包含される。
【００１１】
まず図４は、従来から公知の手縫い針を示す要部破断側面図であり、図中、１は針本体部、２は針先、３は針穴をそれぞれ示している。図示する如く手縫い針は、高剛性の鉄基合金などからなる線材の一方端を尖鋭にして針先２を形成し、またその反対側は先端部をやや扁平に押し潰してから針穴３を貫通して形成することによって作製される。針のサイズ（太さや長さ等）は、縫製すべき生地の種類や糸の種類、サイズ等によって様々であり、また針穴も、使用する糸の種類やサイズによって変わるが、該針穴３に糸を挿通した後、布地を重ね合わせてジグザク状に運針し縫製していく点では全て共通している。
【００１２】
この様な手縫い針を使用する際には、最初の作業として該針穴３への糸通しが行われるが、この作業が以外に面倒で高齢者や弱視者にとって困難な作業であることは前述した通りである。
【００１３】
そこで本発明では、こうした針穴３への糸の挿通を誰でも簡単に行なえる様、以下のような工夫を加えている。
【００１４】
図１は、本発明に係る手縫い針を例示する要部破断側面図であり、針穴３の側方に糸通し用のガイド孔４が形成されている。このガイド孔４は、開口端縁が円弧状に加工されると共に、少なくとも外部方向への開口側が後方、すなわち針先２とは反対側に傾斜して設けられているものが好ましい。
【００１５】
この手縫い針に糸を通す際には、例えば図１に破線で示す如く糸５を針本体部１の側面に沿えて押し付けながら、矢印で示す如くガイド孔４方向へずらしていく。そうすると、糸５がガイド孔４に達した時点で、該糸５はガイド孔４に嵌まり込み、該ガイド孔４に沿って針穴３内に自然に通されることになる。
【００１６】
即ち図４に示した様な従来の手縫い針では、糸５の先端を揃えて針穴３に慎重に芯合わせしながら挿通しなければならず、この作業が高齢者や弱視者などにとって非常に困難な作業であったことは前述した通りであるが、図１に示した如く針穴３にガイド孔４を設けた本発明の手縫い針であれば、上記の如く糸５を針本体部１の側面に沿えてガイド孔４方向へずらしていくだけであるから、高齢者や弱視者はもとより、盲目の人であっても簡単に糸を通すことができる。
【００１７】
また、針穴に糸を通した後は、布地の合せ部に沿って運針して行くことで縫製を行うが、ガイド孔４の開口縁を円弧状に加工しておき、より好ましくは該ガイド孔４を後方側、すなわち針先２とは反対方向に傾斜して設けておけば、縫製される布地の構成糸が該ガイド孔に引っ掛かって針穴３に侵入することもなく、円滑に縫製を進めることができるので好ましい。
【００１８】
また、図１の例にも示している如く、ガイド孔４を針穴３の前方側（すなわち、針先２側）に開口しておけば、該針穴３におけるガイド孔４の開口部よりも後方側は糸掛止用湾部となるので、該針穴３に糸を通した状態で運針する際にも、糸５がガイド孔４を通して針穴３から抜け出す恐れはない。
【００１９】
更に、上記ガイド孔４のより好ましい態様として、図２（ガイド孔を示す要部拡大断面図）に示す如く、ガイド孔４における針穴３の外面側開口幅Ｌ1を内面側開口幅Ｌ2よりも大きくしておけば、針穴３への糸の挿通をより容易に行えるばかりでなく、一旦挿通された糸は針穴３から更に抜け出し難くなるので好ましい。
【００２０】
図３は本発明に係る更に他の実施例を示すもので、ガイド孔４よりも後方側（すなわち針先２とは反対側）に案内部６を設け、ガイド孔４方向へ糸を容易に案内できる様にしている。即ち前記図１の例では、針穴３よりも針先１側の本体部１の側面を案内面として糸５をガイド孔４方向へ案内する構成のものを示したが、図３に示す如く針穴３の後方側に案内部６を延設しておき、該案内部６に沿って糸５をガイド孔４方向へ誘導できる様にしておけば、ガイド孔４が該案内部６方向に指向して開口していることもあって、針穴３への糸６の案内と挿通を一層簡単に行なうことができるので好ましい。もっとも、図３の例でも、前記図１の例と同様に針本体部１の側面に沿って糸５をガイド孔４方向へ案内することも可能である。
【００２１】
本発明は以上の様に構成されているが、その最大の特徴は、針穴に糸通し用のガイド孔を形成し、該ガイド孔に沿って糸を案内することにより針穴に簡単に挿通できる様にしたところに特徴を有するもので、こうした特徴を備えている限り、針穴の具体的な形状・構造やガイド孔の形状、形成位置、更には手縫い針全体の寸法・サイズや形状・構造などには一切制限がなく、用途や目的に応じて任意に変更することができ、それらはいずれも本発明の技術的範囲に包含される。
【００２２】
いずれにしても本発明の手縫い針は、針穴にガイド孔を形成することで糸通し作業を極めて簡単に行なうことができるので、高齢者や弱視者はもとより、通常の人にとっても、また縫製専門職の人にとっても極めて実用に即した利益を享受できる。
【図面の簡単な説明】
【００２３】
【図１】本発明の一実施例を示す要部断面側面図である。
【図２】本発明で形成されるガイド孔の好ましい形態を例示する要部拡大断面図である。
【図３】本発明の他の実施例を示す要部断面側面図である。
【図４】従来の手縫い針を示す要部断面側面図である。
【符号の説明】
【００２４】
１  手縫い針本体部
２  針先
３  針穴
４  ガイド孔
５  糸
６  案内部
【図１】
2006102231.tif 000003
【図２】
2006102231.tif 000004
【図３】
2006102231.tif 000005
【図４】
2006102231.tif 000006